(57)【要約】      （修正有）【課題】多数の洗濯衣料を物干し状態への取付操作、籠等へ多数の洗濯衣料の取込み操作を簡単・迅速にする多連式物干し器の提供。【解決手段】主縦杆1、主縦杆1の首部に水平方向に固定した主横杆２、主横杆２より主縦杆1と同様に垂下させた複数本の縦杆３、主縦杆1および複数本の縦杆３の下端にそれぞれ固定した固定軸支部材6、主縦杆1に挿入した縦筒体5、縦筒体５に固定した可動軸支部材4、縦筒体５に固定した可動横杆７、その基部を可動軸支部材4に軸支した衣服等支持桿８、その一端を衣服等支持桿８の中間部に軸支しその他端を固定軸支部6に軸支した支持骨９、とで構成し、複数個の衣服等支持桿８を同時に開閉操作することを特徴とする。可動軸支部材４の側面に、洗濯物の首部を係止可能とするフック１５を付設して複数個の洗濯物の肩部を同時に水平に近い物干し状態にすることを特徴とする多連式物干し器。【選択図】図１
0003120808.tif 000002
【実用新案登録請求の範囲】
【請求項１】
上端に吊下げ部11を有する主縦杆1、
主縦杆1の首部に水平方向に固定した主横杆２、
主横杆２に、その上端を固定して、主縦杆1と同様に垂下させた複数本の縦杆３、
主縦杆1および複数本の縦杆３の下端にそれぞれ固定した固定軸支部材6、
主縦杆1に挿入した縦筒体5、
縦筒体５に固定した可動軸支部材４、
主縦杆１に挿入した縦筒体５を貫通させて縦筒体５に固定した可動横杆７、
その基部を可動軸支部材４に軸支した衣服等支持桿８、
その一端を衣服等支持桿８の中間部に軸支し、その他端を固定軸支部６に軸支した支持骨９、とを有し、
すべての可動軸支部材４が可動横杆７を介して、同時に上下動することで、複数個の衣服等支持桿８を同時に開閉操作することを特徴とする多連式物干し器。
【請求項２】
上端に吊下げ部11を有する主縦杆1、
主縦杆1の首部に水平方向に固定した主横杆２、
主横杆２に、その上端を固定して、主縦杆1と同様に垂下させた複数本の縦杆３、
主縦杆1および複数本の縦杆３の下端にそれぞれ固定した固定軸支部材６、
主縦杆1に挿入した縦筒体5、
縦筒体５に固定した可動軸支部材４、
主縦杆1に挿入した縦筒体５を貫通させて縦筒体５に固定した可動横杆７、
その基部を可動軸支部材４に軸支した衣服等支持桿８、
その一端を衣服等支持桿８の中間部に軸支し、その他端を固定軸支部６に軸支した支持骨９、とを有し、
すべての可動軸支部材４が可動横杆７を介して、同時に上下動することで、複数個の衣服等支持桿８を同時に開閉操作するとともに、
可動軸支部材４の側面に、洗濯物の首部を係止可能とするフック１５を付設して複数個の洗濯物の肩部を同時に水平に近い物干し状態に、衣服等支持桿８を同時に開閉操作により行うことを特徴とする多連式物干し器。
【考案の詳細な説明】
【技術分野】
【０００１】
本願考案は、家庭などで洗濯物などを干すための物干し装置に関するものである。より詳しくは、干していない時には物干し竿を閉じておくことにより、収納状態の占有容積を縮小した物干し装置に関するものである。
【背景技術】
【０００２】
物干し装置に関して、物干し竿の開閉をワンタッチで行うことができるとともに、物干し竿の“閉”位置(格納位置)では物干し竿を垂直状態として支持軸と接近させて平面視面積を縮小している。
【０００３】
特開平８-２５２１６２号(特許文献１)「折り畳み式ハンガー」は、物干し竿の開閉支持機構としてコーモリ傘の傘骨開閉支持機構を適用している。
【特許文献１】特開平８-２５２１６２号
【考案の開示】
【考案が解決しようとする課題】
【０００４】
前記公知技術は、図１２および図１３を参照して、1左右一対の肩部支持部材(衣服等支持桿)Cの基部を、フックおよび筒状体に支持される固定支持部Ｂに回動自在に支持し、左右一対の肩部支持部材(衣服等支持桿)の中間部と筒状体の下端とを支持骨を介して連結し、上下動支持部Ａの上昇で肩部支持部材(衣服等支持桿)を閉位置(格納位置)とし、上下動支持部Ａの下降で肩部支持部材(衣服等支持桿)Cを開位置(作用位置)としている。
【０００５】
即ち、左右一対の肩部支持部材(衣服等支持桿)で単一の洗濯衣料を支持するものである。
本考案は、前記公知技術を適用して、多数の洗濯衣料を支持することを課題とする。更に、多数の洗濯衣料を物干し状態への取付操作、籠等へ多数の洗濯衣料の取込み操作を簡単・迅速にすることを課題とする。
【課題を解決するための手段】
【０００６】
本願の第１考案は、上端に吊下げ部11を有する主縦杆1、主縦杆1の首部に直交方向(水平方向)に固定した主横杆２、主横杆２にその上端を固定して主縦杆1と同様に垂下させた複数本の縦杆３、主縦杆1および複数本の縦杆３の下端にそれぞれ固定した固定軸支部材6、主縦杆1(または主縦杆1および縦杆３)に挿入した縦筒体5、縦筒体５の下端に固定した可動軸支部材４、主縦杆1(または主縦杆1および縦杆３)に挿入した縦筒体５に固定した可動横杆７、その基部を可動軸支部材４に軸支した衣服等支持桿８、その一端を衣服等支持桿８の中間部に軸支しその他端を固定軸支部６に軸支した支持骨９、とを有し、すべての可動軸支部材４が可動横杆７を介して、同時に上下動することで、複数個の衣服等支持桿８を同時に開閉操作することを特徴とする多連式物干し器を提供する。
本願の第２考案は、第１考案に加えて、可動軸支部材４の側面に、洗濯物の首部を係止可能とするフック１５を付設して複数個の洗濯物の袖を同時に水平に近い物干し状態に、衣服等支持桿８を同時に開閉操作により行うことを特徴とする多連式物干し器を提供する。
【考案の効果】
【０００７】
本願考案は、多数の洗濯物を迅速容易に物干し状態とすることができるとともに、降雨時等に室内に移動させ、且つ再び室内で物干し状態とすることができる。
フックを使用することで、洗濯物の衣服の肩部を簡単に水平状態の物干し状態とすることができる。また、洗濯物の取込みにあたり、複数個の選択物の取込みを単一操作で迅速に行うことができる。
【考案を実施するための最良の形態】
【０００８】
図１は、本願考案の実施例を示す、多連式物干し器の使用状態(衣服等支持桿の開位置)における斜視図、図２は同じく側面図である。
【０００９】
図３は、同じく、多連式物干し器の格納状態(衣服等支持桿の閉位置)における斜視図、図４は同じく側面図である。
【００１０】
1は上端に吊下げ部11を有する主縦杆、２は主縦杆1の首部に直交方向(水平方向)に固定した主横杆である。
【００１１】
主横杆２に、複数本の縦杆３の上端を固定して、主縦杆1と同様に垂下させる。
主横杆２から垂下する主縦杆1および複数本の縦杆３の下端に固定軸支部材６を固定する。
【００１２】
５は、主縦杆1および複数本の縦杆３のそれぞれに挿入した縦筒体である。
なお、実施例においては、複数本の縦杆３にそれぞれ縦筒体５を装備しているが、主縦杆１にのみ縦筒体５装備して、両側の縦杆３に設けられている縦筒体５を省いても本考案の目的を達成できるものである。
【００１３】
主縦杆1の前記縦筒体５(主縦杆1の前記縦筒体５に加えて両側の縦杆３に装備した縦筒体５)の下面に可動軸支部材４を固定する。
【００１４】
７は、前記縦筒体５を貫通させ縦筒体５に固定した可動横杆で、主縦杆１および複数本の縦杆３と直交方向(水平方向)であり、主横杆２の下方に位置して主横杆２と並行である。
【００１５】
縦筒体５、可動横杆７および可動軸支部材４を一体成型製品として単一部品としてもよいものである。
【００１６】
縦筒体５は、主縦杆1および複数本の縦杆３に対して相対位置を上下方向に変更自在であることで、縦筒体５と一体の可動軸支部材４は、すべての可動軸支部材４が可動横杆７を介して、同時に上下動する。
【００１７】
衣服等支持桿８の基部を、可動軸支部材４に軸支する。
支持骨９の一端を衣服等支持桿８の中間部に軸支し、支持骨９の他端を固定軸支部６に軸支する。
【００１８】
図５ないし図７を参照して、主縦杆1の側面にガイド溝１２を形成し、縦筒体５におけるガイド溝１２と対面する内面に、ガイド溝１２と係合する突起１３を形成することで、縦筒体５の上下動を案内するとともに、縦筒体５の上昇位置および下降位置を規制する。
【００１９】
更に、ロック機構１４を主縦杆１に挿入した縦筒体５に付設して、縦筒体５の上昇位置および下降位置にロック固定、およびロック解除しての上下移動を可能とする。
【００２０】
図８および図９を参照して、可動軸支部材４の側面に、洗濯物の首部を係止可能とするフック１５を固定または一体成型により付設する。
【００２１】
本考案の多連式物干し器の使用について説明する。
図３および図４に示す、衣服等支持桿８を閉位置として垂直に近い状態(多連式物干し器の格納状態)として、衣服Ｐの首部を下から通してフック１５に引掛け、図１０に示す状態とする。
【００２２】
この状態で、可動軸支部材４を下方位置として、衣服等支持桿８を開位置として水平に近い状態とすることで、図１１を示すごとく、衣服等支持桿８は洗濯物Ｐを展開した状態で支持する。
【００２３】
降雨時には、図１および図１１の状態で、室内への移動して、浴室等で洗濯物Ｐを乾燥する。
洗濯物Ｐの取込みにあたっては、格納状態においては、図３および図４を参照して、可動軸支部材４を上方位置として、衣服等支持桿８を閉位置として垂直に近い状態として、衣服等支持桿８を主縦杆１または縦杆３に接近させる。
【００２４】
つぎに、フック１５の使用について説明する。
衣服等支持桿８を図３の閉位置で、洗濯物(衣服等)Ｐを多連式物干し器の下方から通したのち洗濯物(衣服等)Ｐの首部をフック１５に係止させて、図10の状態とする。
【００２５】
この状態で物干し位置へ移動する。
物干し位置で、衣服等支持桿８を図１の開位置とすることで、洗濯物の衣服等は展開されて図１1の物干し状態とする。
【００２６】
洗濯物の取込みにあたっては、格納状態においては、図３および図４を参照して、可動軸支部材４を上方位置として、衣服等支持桿８を閉位置として垂直に近い状態として、衣服等支持桿８を主縦杆１または縦杆３に接近させることで、洗濯物の衣服等Ｐは落下して、衣服等支持桿８より離脱する。
【００２７】
本考案の実施にあたり、各部品の材質は任意に選択できるものであり．すべて金属製品とすることも、合成樹脂製品とすることもできる。更に、金属製品と合成樹脂製品との混合とすることもできる。たとえば、主縦杆1、主横杆２、縦杆３、可動横杆７をステンレス線材製品とし、固定軸支部材６、縦筒体5、可動軸支部材４、衣服等支持桿８、支持骨９を合成樹脂成型製品とする。
【図面の簡単な説明】
【００２８】
【図１】本願考案の実施例を示す多連式物干し器の使用状態(衣服等支持桿の開位置)における斜視図。
【図２】同じく側面図。
【図３】本願考案の実施例を示す多連式物干し器の格納状態(衣服等支持桿の閉位置)における斜視図。
【図４】同じく側面図。
【図５】可動軸支部材の上下動機構の正面図。
【図６】同じく平面図。
【図７】同じく横断面図。
【図８】多連式物干し器の要部の底面図で、固定軸支部材を示す。
【図９】同じく斜視図で、フックを付設した固定軸支部材を示す。
【図１０】図4の状態で洗濯物とともに示す参考図。
【図１１】図2の状態で洗濯物とともに示す参考図。
【図１２】公知の物干し器を示す、図２同様の状態で示す正面図。
【図１３】同じく図４図２同様の状態で示す正面図。
【符号の説明】
【００２９】
１    主縦杆
２    主横杆
３    縦杆
４    可動軸支部材
５    縦筒体
６    固定軸支部材
７    可動横杆
８    衣服等支持桿
９    支持骨
１５    フック
【図１】
0003120808.tif 000003
【図２】
0003120808.tif 000004
【図３】
0003120808.tif 000005
【図４】
0003120808.tif 000006
【図５】
0003120808.tif 000007
【図６】
0003120808.tif 000008
【図７】
0003120808.tif 000009
【図８】
0003120808.tif 000010
【図９】
0003120808.tif 000011
【図１０】
0003120808.tif 000012
【図１１】
0003120808.tif 000013
【図１２】
0003120808.tif 000014
【図１３】
0003120808.tif 000015